(57)【要約】【課題】  容易に開封することができて、ほぼ一定の形状の開口を得ることができるガセットタイプ包装袋を提供することである。【解決手段】  基材層と易剥離性のある熱接着性樹脂からなる内層とを備えた矩形状積層体の対向する端縁を重ね合わせて熱接着して合掌シール部を有する筒状体となし、両側部に横断面Ｖ字状の折込部を設け、上下開口部を上下端熱接着部で密封したガセットタイプ包装袋において、前記上端熱接着部が前記一方の折込部側に前記上開口部の端縁から前記下開口部側に未接着部を有するように前記一方の折込部側の側端縁から前記他方の折込部側に延びる第１上端熱接着部と、該第１上端熱接着部の終端に連接して前記他方の折込部側の側端縁に延びる第２上端熱接着部と該第２上端熱接着部に連接して前記上開口部の端縁に延びる第３上端熱接着部とからなることを特徴とするガセットタイプ包装袋。【選択図】        図１
2006282179.tif 000002
【特許請求の範囲】
【請求項１】
少なくとも基材層と易剥離性を有する熱接着性樹脂からなる内層とを備えた矩形状積層体の対向する端縁を前記内層同士が当接するように重ね合わせて熱接着して合掌シール部を有する筒状体となし、該筒状体の対向する両側部に横断面Ｖ字状の折込部を設け、上下開口部を上下端熱接着部で密封したガセットタイプ包装袋において、前記上端熱接着部が前記一方の折込部側に前記上開口部の端縁から前記下開口部側に未接着部を有するように前記一方の折込部側の側端縁から前記他方の折込部側に延びる第１上端熱接着部と、該第１上端熱接着部の終端に連接して前記他方の折込部側の側端縁に延びる第２上端熱接着部と該第２上端熱接着部に連接して前記上開口部の端縁に延びる第３上端熱接着部とからなることを特徴とするガセットタイプ包装袋。
【請求項２】
前記第１上端熱接着部が線状熱接着部であることを特徴とする請求項１記載のガセットタイプ包装袋。
【請求項３】
前記第１上端接着部が前記上開口部側に凸部を有する略ヘの字状の熱接着部であることを特徴とする請求項１、２のいずれかに記載のガセットタイプ包装袋。
【請求項４】
前記未接着部が開封部であることを明示する表示部が外側から見える位置に施されていることを特徴とする請求項１記載のガセットタイプ包装袋。
【発明の詳細な説明】
【技術分野】
【０００１】
本発明は、開封が容易なガセットタイプ包装袋に関するものである。
【背景技術】
【０００２】
従来から、内容物の収容容積〔包装内容積（ｃｍ3）／包装材面積（ｃｍ2）比〕が大きく、内容物の単位収容量当たりの包装材コストが安価であり、また、立てた状態で陳列することができるためにスペース的にも有利であり商品見栄えが良いなどの理由から収容量の多い内容物に好適な袋としてガセットタイプ包装袋が用いられている。
【０００３】
しかし、ガセットタイプ包装袋は、両側部に横断面Ｖ字状の折込部があり、この折込部を外した折込部と直交する端縁にＶ字状やＩ字状の切欠や切込を設け、これを開封開始手段として袋を開封するように構成されている。この開封開始手段により袋を開封すると、縦方向（折込部に平行な方向）に不規則な形状に開口するために、粉体や顆粒状等の内容物の場合には、開封時に内容物が零れて周囲に飛散するといった問題や使用後に残った内容物を保管する際には、開封した開口を塞ぐことが結構煩雑であるといった問題があった。
【０００４】
そこで、上記問題を解決するガセットタイプ包装袋が提案されている（たとえば、特許文献１参照）。特許文献１記載の考案は、ガセットタイプ包装袋を横方向（折込部に直交する方向）に開封する工夫が盛込まれた提案であって、袋体の横方向側部に側シール部を設けると共に該側シール部に開口シール部の内側を横方向に引き裂き得るノッチを設け、ノッチの反対側に位置する折り込み部にノッチから延びる引き裂き予定線上における折り込み内部先端角部と表裏面とをスポット状のヒートシール部で溶着して一体化した構成からなるガセットタイプ包装袋であって、このように構成することによりガセットタイプ包装袋を横方向（折込部に直交する方向）にほぼ一定の形状に開口することができて粉体や顆粒状等の内容物の場合においても開封時に内容物が零れる虞がなく、使用後に残った内容物を保管する際にも開封した開口を容易に塞ぐことができるというものである。
【０００５】
しかしながら、本発明者が実際に特許文献１記載の考案に基づいて袋を試作して引き裂き開封を試みたところ、開封側の折り込み先端角部までは容易に引き裂くことができるが、さらに引き裂いて引き裂き先端がスポット状のヒートシール部の折り込み内部先端角部に至ると折り込み内部先端角部が引き裂き時に大きな抗引き裂き部となり、スムーズに引き裂くことができなかった。
【特許文献１】実開平５−２６８３８号公報
【発明の開示】
【発明が解決しようとする課題】
【０００６】
そこで本発明は、容易に開封することができて、ほぼ一定の形状の開口を得ることができ、開封した側の折込部を外側に引き出して注ぎ口とし、内容物を容易に取り出すことができるガセットタイプ包装袋を提供することである。
【課題を解決するための手段】
【０００７】
本発明者は、上記課題を達成するために、請求項１記載の本発明は、少なくとも基材層と易剥離性を有する熱接着性樹脂からなる内層とを備えた矩形状積層体の対向する端縁を前記内層同士が当接するように重ね合わせて熱接着して合掌シール部を有する筒状体となし、該筒状体の対向する両側部に横断面Ｖ字状の折込部を設け、上下開口部を上下端熱接着部で密封したガセットタイプ包装袋において、前記上端熱接着部が前記一方の折込部側に前記上開口部の端縁から前記下開口部側に未接着部を有するように前記一方の折込部側の側端縁から前記他方の折込部側に延びる第１上端熱接着部と、該第１上端熱接着部の終端に連接して前記他方の折込部側の側端縁に延びる第２上端熱接着部と該第２上端熱接着部に連接して前記上開口部の端縁に延びる第３上端熱接着部とからなることを特徴とするものである。
【０００８】
また、請求項２記載の本発明は、請求項１記載のガセットタイプ包装袋において、前記第１上端熱接着部が線状熱接着部であることを特徴とするものである。
【０００９】
また、請求項３記載の本発明は、請求項１、２のいずれかに記載のガセットタイプ包装袋において、前記第１上端接着部が前記上開口部側に凸部を有する略ヘの字状の熱接着部であることを特徴とするものである。
【００１０】
また、請求項４記載の本発明は、請求項１記載のガセットタイプ包装袋において、前記未接着部が開封部であることを明示する表示部が外側から見える位置に施されていることを特徴とするものである。
【発明の効果】
【００１１】
本発明のガセットタイプ包装袋は、内層に易剥離性を有する熱接着性樹脂を用い、上開口部側に開封時に手指を挿入して摘むことができる未接着部を設けたことにより、この部分を摘んで容易に剥離して開封することができ、剥離した側の折込部を外側に引き出して注ぎ口とし、この注ぎ口から内容物を容易に取り出すことができるという効果を奏し、また、開封する開口の大きさは第１上端接着部の前記一方の折込部側の側端縁から前記他方の折込部側に延びる長さで調節することができ、所望の大きさの開口を容易に得ることができるという効果を奏し、また、第１上端熱接着部を線状熱接着部、さらに好ましくは上開口部側に凸部を有する略ヘの字状の熱接着部とすることにより、小さい力で容易に剥離して開封することができるという効果を奏するものである。
【発明を実施するための最良の形態】
【００１２】
図１は本発明にかかるガセットタイプ包装袋の第１実施形態を示す要部正面図、図２は図１の上開口部を図解的に示す概略平面図、図３は本発明にかかるガセットタイプ包装袋の第２実施形態を示す要部正面図、図４は本発明にかかるガセットタイプ包装袋の第３実施形態を示す要部正面図、図５は本発明にかかるガセットタイプ包装袋の第４実施形態を示す要部正面図であり、図中の１，１’，１”，１’’’はガセットタイプ包装袋、２は合掌シール部、３は上端熱接着部、４は表示部、３０，３０’，３０”は第１上端熱接着部、３１，３１’は第２上端熱接着部、３２，３２’は第３上端熱接着部、Ａ，Ｂは折込部、Ｃは未接着部をそれぞれ示す。
【００１３】
図１は本発明にかかるガセットタイプ包装袋の第１実施形態を示す要部正面図、図２は図１の上開口部を図解的に示す概略平面図であって、ガセットタイプ包装袋１は少なくとも基材層と易剥離性を有する熱接着性樹脂からなる内層とを備えた矩形状積層体の対向する端縁を前記内層同士が当接するように重ね合わせて熱接着した合掌シール部２を有する筒状体となし、該筒状体の対向する両側部に横断面Ｖ字状の折込部Ａ、Ｂを設け、上下開口部を上端熱接着部３と下端熱接着部（図示せず）で密封したものであって、前記上端熱接着部３が前記折込部Ａ側に前記上開口部の端縁から前記下開口部側に未接着部Ｃを有するように前記一方の折込部側の側端縁から前記他方の折込部側に延びる帯状の第１上端熱接着部３０と、該第１上端熱接着部３０の終端に連接して前記他方の折込部側の側端縁に延びる第２上端熱接着部３１と該第２上端熱接着部３１に連接して前記上開口部の端縁に延びる第３上端熱接着部３２とからなるものである。
【００１４】
図３は本発明にかかるガセットタイプ包装袋の第２実施形態を示す要部正面図であって、ガセットタイプ包装袋１’は第１実施形態で示した前記第１上端熱接着部３０を帯状から幅狭の線状に代えた第１上端熱接着部３０’としたものであり、これに伴って第２上端熱接着部を符号３１’、第３上端熱接着部を符号３２’、上端熱接着部を符号３’で表わしたものであり、これ以外は第１実施形態のガセットタイプ包装袋１と同じである。
【００１５】
図４は本発明にかかるガセットタイプ包装袋の第３実施形態を示す要部正面図であって、ガセットタイプ包装袋１”は第２実施形態で示した線状の第１上端熱接着部３０’に代えて、上開口部側に凸部を有する略ヘの字状の第１上端熱接着部３０”としたものであり、これに伴って上端熱接着部を符号３”で表わしたものであり、これ以外は第２実施形態のガセットタイプ包装袋１’と同じである。
【００１６】
このように構成したガセットタイプ包装袋１、１’、１”は、前記未接着部Ｃの対向する部分（積層体）を両手の手指で摘んで互いに乖離する方向に引っ張ることにより、前記第１上端熱接着部３０、３０’、３０”が内層間の界面および／ないし内層の層間で凝集剥離するために、容易に開封することができ、内容物を取り出す際には、前記折込部Ａを外側に引き出すことにより注ぎ口が形成され、この注ぎ口から他の容器等に内容物を容易に取り出すことができる。開封のし易さとしては、第１実施形態から第３実施形態に降順するにしたがって、開封し易いガセットタイプ包装袋とすることができる。
【００１７】
図５は本発明にかかるガセットタイプ包装袋の第４実施形態を示す要部正面図であって、ガセットタイプ包装袋１’’’は開封するために手指で摘む箇所と開封する部分を示す「この部分を摘んで矢印の示す部分を開封して下さい」なる表示部４が印刷ないし印字により袋に設けられているものであって、このように構成することにより、すべての使用者に開封すべき方法と箇所を明確にすることができる。なお、図５は図１に示す第１実施形態のガセットタイプ包装袋１に設けたものを示したが、これに限るものでないことは当然のことである。
【００１８】
なお、実施例においては、包装袋のセンターに合掌シール部２を有するオーソドックスなガセットタイプ包装袋を示したが、本発明はこれに限るものではなく、たとえば、合掌シール部２を折込部Ａの一方の側端縁に位置するように構成してもよいし、また、この場合において、折込部Ａの他方の側端縁（稜線）と折込部Ｂの２つの側端縁（稜線）を熱接着して４つの側端縁（稜線）に支柱を設けたような構成としてもよいし、また、実施例において、折込部ＡとＢとで形成される４つの側端縁（稜線）を熱接着して、上記したと同様に４つの側端縁（稜線）に支柱を設けたような構成としてもよく、このように４つの側端縁（稜線）に支柱を設けたような構成とすることにより、自立性に優れた見栄えのよいガセットタイプ包装袋とすることができる。
【００１９】
次に、本発明のガセットタイプ包装袋に用いる積層体について説明する。本発明のガセット包装袋に用いる積層体の基材層としては、機械的、物理的、化学的等において優れる性質を有する合成樹脂製フィルム、たとえば、ポリエステル系、ポリアミド系、ポリプロピレン系等の樹脂からなる二軸方向に延伸した延伸フィルム、あるいは、セロハンや紙などを挙げることができる。
【００２０】
また、本発明のガセットタイプ包装袋に用いる積層体の内層としては、内層間の界面および／ないし内層の層間で凝集剥離する易剥離性を有する熱接着性樹脂からなる層であり、具体的に例示するならば、東セロ（株）製：ＴＡＦ−６５０Ｃ、あるいは、東レフィルム加工（株）製：７６０１Ａ、あるいは、ジェイフィルム（株）製：ＳＭＸ（Ｙ−０４）などを好適に用いることができる。
【００２１】
また、本発明のガセット包装袋に用いる積層体としては、必要に応じて酸素ガスや水蒸気ガス等のガスバリアー性、および／ないし、遮光性を付与するためのバリアー層を中間層として上記した基材層と内層の間に設けてもよいものであり、たとえば、アルミニウム箔に代表される金属箔、あるいは、ポリビニルアルコール、エチレン−ビニルアルコール共重合体、ポリ塩化ビニリデン等のフィルム、あるいは、ポリエステル、ポリアミド、ポリエチレン，ポリプロピレン，エチレン−プロピレン共重合体等のポリオレフィンやポリビニルアルコール等のフィルムにポリ塩化ビニリデンを塗布したフィルムないしアルミニウム、酸化珪素、酸化アルミニウム、酸化インジウム、酸化錫、酸化ジルコニウム等の無機物の蒸着を施したフィルムを挙げることができ、また、前記中間層としては、包装袋に機械的強靭性、耐屈曲性、耐突き刺し性、耐衝撃性、耐寒性、耐熱性、耐薬品性等の機能を付与するために、たとえば、ポリエステル、ポリアミド、ポリエチレン，ポリプロピレン，エチレン−プロピレン共重合体等のポリオレフィン等の一種ないしそれ以上を組み合せた補強層であってもよいものである。前記補強層は未延伸の状態あるいは延伸された状態のいずれであってもよく、また、バリアー層と補強層は包装袋に要求される物性により組み合せて用いてもよいし、単独で用いてもよいものである。
【００２２】
また、上記した各層を積層して積層体とする積層方法としては、Ｔダイ押出機を用いて積層するサンドイッチラミネ−ション法や接着剤を用いて積層するドライラミネーション法等の適宜の積層方法を選択して積層すればよいものである。
【図面の簡単な説明】
【００２３】
【図１】本発明にかかるガセットタイプ包装袋の第１実施形態を示す要部正面図である。
【図２】図１の上開口部を図解的に示す概略平面図である。
【図３】本発明にかかるガセットタイプ包装袋の第２実施形態を示す要部正面図である。
【図４】本発明にかかるガセットタイプ包装袋の第３実施形態を示す要部正面図である。
【図５】本発明にかかるガセットタイプ包装袋の第４実施形態を示す要部正面図である。
【符号の説明】
【００２４】
１，１’，１”，１’’’                ガセットタイプ包装袋
２                                      合掌シール部
３                                      上端熱接着部
４                                      表示部
３０，３０’，３０”                    第１上端熱接着部
３１，３１’                            第２上端熱接着部
３２，３２’                            第３上端熱接着部
Ａ，Ｂ                                  折込部
Ｃ                                      未接着部
【図１】
2006282179.tif 000003
【図２】
2006282179.tif 000004
【図３】
2006282179.tif 000005
【図４】
2006282179.tif 000006
【図５】
2006282179.tif 000007